(57)【要約】      （修正有）【課題】仮設足場等の梁枠を用いた構造体において、部材の調達や在庫に関わるコストを低減することができる構造体を提供する。【解決手段】並列する複数の支柱１１、１１と、支柱１１、１１間に掛け渡される長手状の梁枠２０と、梁枠２０の両端部をそれぞれ支柱１１に固定する固定手段３０とを備えた構造体において、梁枠２０は、長手方向に沿って分割された複数の分割梁材２０Ａ、２０Ｂと、分割梁材２０Ａ、２０Ｂの対向端同士を着脱自在に接続する接続手段Ｊとを備える。【選択図】図１
0003232151.tif 000002
【実用新案登録請求の範囲】
【請求項１】
並列する複数の支柱（１１，１１）と、
前記支柱（１１，１１）間に掛け渡される長手状の梁枠（２０）と、
前記梁枠（２０）の両端部をそれぞれ前記支柱（１１）に固定する固定手段（３０）と、
を備えた構造体において、
前記梁枠（２０）は、長手方向に沿って分割された複数の分割梁材（２０Ａ，２０Ｂ）と、前記分割梁材（２０Ａ，２０Ｂ）の対向端同士を着脱自在に接続する接続手段（Ｊ）とを備える構造体。
【請求項２】
前記分割梁材（２０Ａ，２０Ｂ）は、それぞれ長手方向に伸びる上部梁部材（２１）と前記上部梁部材（２１）に沿ってその下方に位置する下部梁部材（２２）とを備え、
前記接続手段（Ｊ）は、前記上部梁部材（２１）に設けられる上部接続手段（４０）と、前記下部梁部材（２２）に設けられる下部接続手段（５０）とで構成される請求項１に記載の構造体。
【請求項３】
前記上部接続手段（４０）は、前記分割梁材（２０Ａ，２０Ｂ）の一方に設けられる前記長手方向へ伸びる筒状部材（４２）と、他方に設けられ前記筒状部材（４２）内に挿入される差込部材（４１）とを備えている請求項２に記載の構造体。
【請求項４】
前記下部接続手段（５０）は、前記分割梁材（２０Ａ，２０Ｂ）の一方に設けられる鉛直方向の第１貫通孔（５３）と、他方に設けられる鉛直方向の第２貫通孔（５６）と、前記第１貫通孔（５３）及び前記第２貫通孔（５６）に挿通される少なくとも１本のピン（５２）とを備えている請求項２又は３に記載の構造体。
【考案の詳細な説明】
【技術分野】
【０００１】
この考案は、梁枠を用いた構造体に関するものである。
【背景技術】
【０００２】
一般に、仮設足場は建築物や構造物等の各種建造物の外壁に沿うように設置され、作業者が補修や塗装等の工事を行うために用いられる。仮設足場用の構造体として、建造物の外壁に沿って複数本の支柱を所定の間隔で配置し、隣り合う支柱間を梁枠で結ぶとともに、その梁枠に足場板を固定する構造がある。また、建造物に出入口等が存在する場合は、その出入口付近を避けて支柱を配置し、出入口を挟んで両側の支柱間に、他よりもスパンの長い梁枠を掛け渡すことで、人や車両等が通行できる幅を確保した開口部を設定している（例えば、特許文献１参照）。
【先行技術文献】
【特許文献】
【０００３】
【特許文献１】特開２０１８−１３８７１７号公報
【考案の概要】
【考案が解決しようとする課題】
【０００４】
開口部に必要な幅は、その仮設足場を用いる現場によって異なる。建造物の出入口の幅が広い場合は、出入り口を挟んで両側に位置する支柱間の間隔が広いので、比較的スパンの長い梁枠が必要である。また、逆に、出入口の幅がそれほど広くない場合は、支柱間の間隔もそれほど広くないので、スパンの長い梁枠は使用することができず、その出入口の幅に応じた比較的短い長さの梁枠が必要である。
【０００５】
このように、従来の梁枠構造を用いた仮設足場では、様々な現場の状況に応じて、例えば、全長７．２ｍの梁枠、全長５．４ｍの梁枠、全長３．６ｍの梁枠、全長２．７ｍの梁枠といったように、スパンの長さが異なる複数種類の梁枠を、それぞれ多数用意しておく必要があった。多数の梁枠を調達し、あるいは、それらを保管しておくことは、コスト高に繋がるので好ましくない。
【０００６】
そこで、この考案の課題は、仮設足場等の梁枠を用いた構造体において、部材の調達や在庫に関わるコストを低減することを課題とする。
【課題を解決するための手段】
【０００７】
上記の課題を解決するために、この考案は、並列する複数の支柱と、前記支柱間に掛け渡される長手状の梁枠と、前記梁枠の両端部をそれぞれ前記支柱に固定する固定手段と、を備えた構造体において、前記梁枠は、長手方向に沿って分割された複数の分割梁材と、前記分割梁材の対向端同士を着脱自在に接続する接続手段とを備える構造体を採用した。
【０００８】
ここで、前記分割梁材は、それぞれ長手方向に伸びる上部梁部材と前記上部梁部材に沿ってその下方に位置する下部梁部材とを備え、前記接続手段は、前記上部梁部材に設けられる上部接続手段と、前記下部梁部材に設けられる下部接続手段とで構成することができる。
【０００９】
また、前記上部接続手段は、前記分割梁材の一方に設けられる前記長手方向へ伸びる筒状部材と、他方に設けられ前記筒状部材内に挿入される差込部材とを備えることができる。
【００１０】
さらに、前記下部接続手段は、前記分割梁材の一方に設けられる鉛直方向の第１貫通孔と、他方に設けられる鉛直方向の第２貫通孔と、前記第１貫通孔及び前記第２貫通孔に挿通される少なくとも１本のピンとを備えることができる。
【考案の効果】
【００１１】
仮設足場等の梁枠を用いた構造体において、部材の調達や在庫に関わるコストを低減することができる。
【図面の簡単な説明】
【００１２】
【図１】この考案の一実施形態に係る全体斜視図
【図２】図１の変形例を示す正面図
【図３】図１の変形例を示す正面図
【図４Ａ】梁枠と支柱とを係止する係止手段を示す斜視図
【図４Ｂ】梁枠と支柱とを係止する係止手段を示す平面図
【図４Ｃ】梁枠と支柱とを係止する係止手段を示す正面図
【図５】梁枠と支柱とを係止する係止手段を示す斜視図
【図６Ａ】分割梁材同士を接続する接続手段を示す正面図
【図６Ｂ】分割梁材同士を接続する接続手段を示す正面図
【図７Ａ】分割梁材同士を接続する接続手段を示す斜視図
【図７Ｂ】分割梁材同士を接続する接続手段を示す斜視図
【図８Ａ】梁枠の変形例を示す正面図
【図８Ｂ】梁枠の変形例を示す正面図
【図８Ｃ】梁枠の変形例を示す正面図
【図９】他の実施形態に係る全体斜視図
【考案を実施するための形態】
【００１３】
この考案の一実施形態を図１〜図８Ｃに示す。この実施形態に係る構造体は、建造物の外壁に沿って複数本の支柱１１，１１を所定の間隔で配置し、隣り合う支柱１１，１１間を梁枠２０で結ぶとともに、その梁枠２０上に作業者が歩行する足場板２を固定する構造である。また、足場板２の周囲には、必要に応じて手摺りとなる水平材や斜材が設けられている。
【００１４】
この実施形態では、図１に示すように、支柱１１を建造物の外壁に近い側（内方側）と遠い側（外方側）とに２本１組で配置している。その２本１組の支柱１１を、外壁に沿って所要の間隔で複数組設置している。長手状の梁枠２０は、その梁枠２０の両端部がそれぞれ支柱１１に対して固定手段３０によって固定される。すなわち、支柱１１は、梁枠２０の長手方向両端を支える梁枠支持部１０として機能している。梁枠２０は、外壁に近い内方側の支柱１１と遠い側の外方側の支柱１１にそれぞれ固定され、並列する２つの梁枠２０が、足場板２の幅方向両側を支えている。なお、支柱１１の下端は、受台１２と高さ調整装置１３を介して地盤上に載置されている。受台１２は、フラットな板状部材１２ａとその板状部材１２ａから立ち上がる雄ネジ部材１２ｂで構成されている。調整装置１３は、支柱１１の下端１１ａに設けられるナット部材で構成され、雄ネジ部材１２ｂに対するナット部材のねじ込み量を調整することで、支柱１１の高さ調整を可能としている。支柱１１は、断面円形の管体で構成されている。
【００１５】
ここで、固定手段３０として種々の構造を採用してもよいが、この実施形態では、くさび部材を用いる構造を採用している。固定手段３０は、図４Ａ〜図５に示すように、支柱１１に取り付けられる係止部３０ａと、梁枠２０の端部に固定されたホルダー部材３０ｂと、係止部３０ａとホルダー部材３０ｂとを連結する結合部材３３とを備えている。
【００１６】
係止部３０ａは、支柱１１の外周に突出して固定されたフランジ３１で構成されている。支柱１１は所定長さの管体を適宜連結して構成できるので、フランジ３１が溶接された管体を適宜の位置に連結することで、フランジ３１を必要な高さに設定できる。また、支柱１１の軸方向に沿って複数のフランジ３１を所定間隔で配置することも可能である。フランジ３１は、所定の厚みを有する環状の金属板で構成され、この中央に設けられた孔に支柱１１が挿通されて、孔の縁と支柱１１の外周とが溶接で固定されている。フランジ３１には、支柱１１の軸心周りに複数の係止孔３２が設けられている。この実施形態では、支柱１１の軸心周り等分方位に４箇所の係止孔３２が設けられており、支柱１１に対して軸回り四方（９０°毎）に梁枠２０を固定できるようにしたが、係止孔３２の方位と数は自由に設定できる。例えば、係止孔３２を支柱１１の軸回り二方（１８０°毎）や軸回り三方（１２０°毎）に設けるようにしてもよい。
【００１７】
ホルダー部材３０ｂは、図５に示すように、その先端に水平方向に所定深さまで切り込まれた溝３５を備え、また、上下方向に貫通する嵌合孔３６を備えている。溝３５は、フランジ３１の厚みよりもやや大きい幅で形成され、フランジ３１が内部に入り込むことができるようになっている。溝３５の底にフランジ３１の外縁が当接した状態で、貫通孔３６の位置と係止孔３２の位置とは合致している。ホルダー部材３０ｂは、溝３５を挟んで上下両側の端面が、支柱１１の外面に当接して支持されている。また、貫通孔３６は、結合部材３３の幅よりもやや大きい長さ（梁枠２０の長手方向に沿って前端３６ｂと後端３６ａとを結ぶ長さ）と、結合部材３３の板厚よりもやや大きい幅（梁枠２０の長手方向に直交する方向への幅）となっている。また、嵌合孔３６の前端３６ｂの下部内面には抜止部３７が設けられている。
【００１８】
結合部材３３は、嵌合孔３６と係止孔３２とを上下方向に一致させた状態で、その嵌合孔３６と係止孔３２に挿入されるようになっている。結合部材３３は、図４Ｃに示すように、係止孔３２内に入り込む楔部３３ｂと、楔部３３ｂの上部に接続され後端側へ伸びる水平部３３ａと、水平部３３ａの後端から下方へ伸びてフランジ３１の外縁と嵌合孔３６の後端との間に入り込む差込部３３ｃとを備えたコ字状の部材である。楔部３３ｂは下方へ向かうにつれて先細りとなっており、係止孔３２の前端（支柱１１の外面）に当接する面が支柱１１の軸方向に平行で、係止孔３２の後端に当接する面が支柱１１の軸方向に対して傾斜したテーパ面となっている。このテーパ面の作用により、結合部材３３の抜け止めが成されている。また、差込部３３ｃの下端には、結合部材３３を引き上げたときの抜け止めとなるピン３３ｆが設けられている。さらに、差し込み部３３ｃの下端の前端部３３ｄが、ホルダー部材３０ｂの下端のストッパ部３７に当接することによっても、結合部材３３の抜け止めが成されている。この結合部材３３により、梁枠２０と支柱１１とは結合される。
【００１９】
梁枠２０は、隣り合う支柱１１，１１間に掛け渡される長手状の部材である。一般的な仮設足場では、支柱１１，１１間の距離は概ね規定の長さで仮設足場全体が統一されている。しかし、梁枠２０の下を人や車両等が通行する箇所では、支柱１１，１１間の間隔を広げて通行用の開口部を設ける必要がある。この開口部に必要な幅Ｗ（図１参照）は、現場によって異なる。このため、現場によって異なる支柱１１，１１間の間隔に対応するべく、この考案では、梁枠２０を、長手方向に沿って分割された複数の分割梁材２０Ａ，２０Ｂと、分割梁材２０Ａ，２０Ｂの向かい合う端部（以下、対向端と称する）同士を着脱自在に接続する接続手段Ｊを備える構成としている。なお、開口部に必要な高さＨ（図１参照）については、支柱１１に対する固定手段３０の位置の設定により調整される。
【００２０】
分割梁材２０Ａ，２０Ｂは、図１に示すように、長手方向に伸びる上部梁部材２１と、その上部梁部材２１に沿って上部梁部材２１の下方に位置する下部梁部材２２とを備えている。また、上部梁部材２１と下部梁部材２２とは、長手方向に直交する方向の垂直材２３と、長手方向に対して鋭角を成す方向の斜材２４とで連結されている。分割梁材２０Ａ，２０Ｂの支柱１１側の端部（以下、支柱側端と称する）には、それぞれ固定手段３０に対応したホルダー部材３０ｂが取り付けられている。この実施形態では、上部梁部材２１と下部梁部材２２のそれぞれの支柱側端に固定手段３０を設けているが、上部梁部材２１のみに固定手段３０を設けた構成も考えられる。また、分割梁材２０Ａ，２０Ｂの対向端同士を着脱自在とする接続手段Ｊは、上部梁部材２１に設けられる上部接続手段４０と、下部梁部材２２に設けられる下部接続手段５０とで構成されている。上部梁部材２１、下部梁部材２２、垂直材２３、斜材２４は、いずれも中空の筒状部材で構成されており、実施形態ではいずれも断面円形である。
【００２１】
この実施形態では、図１に示すように、梁枠２０を二つの分割梁材２０Ａ，２０Ｂで構成しているが、これを三つ以上の分割梁材２０Ａ，２０Ｂ・・・で構成することも可能である。図２は、図１の変形例であり、梁枠２０を、相対的に長手方向の長さが長い第一の分割梁材２０Ａと、第一の分割梁材２０Ａよりも相対的に長手方向の長さが短い第２の分割梁材２０Ｂで構成した例を示している。また、図３は、図１のさらなる変形例であり、同じく梁枠２０を、相対的に長手方向の長さが長い第１の分割梁材２０Ａと、第１の分割梁材２０Ａよりも相対的に長手方向の長さが短い第２の分割梁材２０Ｂで構成した例を示している。ただし、図３の例では、図中右側の第１の分割梁材２０Ａの長さを、図２の例よりも短くして、比較的幅の狭い開口部に対応している。
【００２２】
ここで、上部接続手段４０は、図６Ａ〜図７Ｂに示すように、分割梁材２０Ａ，２０Ｂの一方（実施形態では第２の分割梁材２０Ｂ側）に設けられる長手方向へ伸びる筒状部材４２と、他方（実施形態では第１の分割梁材２０Ａ側）に設けられ筒状部材４２内に挿入される差込部材４１とを備えている。差込部材４１は、第１の分割梁材２０Ａ側の上部梁部材２１（図中では符号２１ａで表記）の端部に挿入された筒状部材又は軸状部材で構成されている。一方、筒状部材４２は、第２の分割梁材２０Ｂ側の上部梁部材２１（図中では符号２１ｂで表記）自身の端部で構成しているが、上部梁部材２１とは別体の筒状部材４２を上部梁部材２１の端部に溶接等により固定してもよい。筒状部材４２の内径は、その内部に挿入された差込部材４１が、がたつきなく筒状部材４２に嵌合する寸法に設定されている。この差込部材４１及び筒状部材４２を用いて構成した接続手段Ｊの構造を、差込式接続構造４０ａ，４０ｂと称する。
【００２３】
また、上部接続手段４０は、長手方向に対する互いの位置を決定するストッパ装置を備えている。ストッパ装置は、第１の分割梁材２０Ａ側の上部梁部材２１に設けられた当接部材４３と、第２の分割梁材２０Ｂ側の上部梁部材２１に設けられた被当接部材４４とで構成されている。当接部材４３は、上部梁部材２１に溶接等により固定された断面コ字状の受け部材４３ｂと、その受け部材４３ｂの雌ネジ部にねじ込まれたボルト４３ａとで構成されている。また、被当接部材４４は、第２の分割梁材２０Ｂ側の上部梁部材２１に溶接等により固定された断面Ｌ字状部材で構成されている。ボルト４３ａの頭部が被当接部材４４の端面に当接することで、第１の分割梁材２０Ａと第２の分割梁材２０Ｂとのそれ以上の接近が規制され、両者が長手方向に位置決めされることになる。
【００２４】
また、下部接続手段５０は、図６Ａ〜図７Ｂに示すように、第１の分割梁材２０Ａ及び第２の分割梁材２０Ｂの一方に設けられる鉛直方向の第１貫通孔５３と、他方に設けられる鉛直方向の第２貫通孔５６と、第１貫通孔５３及び第２貫通孔５６に挿通される少なくとも１本のピン５２とを備えている。この実施形態では、図７Ｂに示すように、第１の分割梁材２０Ａに設けられた第１接続部材５１に第１貫通孔５３を、第２の分割梁材２０Ｂに設けられた第２接続部材５５に第２貫通孔５６を備えている。第１接続部材５１は、第１の分割梁材２０Ａ側の下部梁部材２２（図中では符号２２ａで表記）の端部に固定された基部の上端及び下端からそれぞれ同方向に突出する対の接続片を備えた部断面コ字状の
部材である。第１貫通孔５３は、第１接続部材５１の対の接続片に設けられて１本のピン５２が挿通可能なように上下の位置が合致している。第２接続部材５５は、第２の分割梁材２０Ｂ側の下部梁部材２２（図中では符号２２ｂで表記）の端部に固定された基部の上端及び下端からそれぞれ同方向に突出する対の接続片を備えた断面コ字状の部材である。対の接続片同士は、縦方向のリブで連結されて補強されている。第２接続部材５５の第２貫通孔５６は、対の接続片に設けられて同じく１本のピン５２が挿通可能なように上下の位置が合致している。
【００２５】
第１貫通孔５３と第２貫通孔５６が一直線上に位置するように第１接続部材５１と第２接続部材５５とを位置合わせする。この下部接続手段５０の位置合わせは、上部接続手段４０が既に接続された状態で行うことができる。上部接続手段４０が接続された状態で、断面円形の筒状部材４２と差込部材４１とは両者が嵌合した状態で互いに相対回転可能であるので、下部接続手段５０の第１接続部材５１と第２接続部材５５とが図６Ｂに示す紙面の奥行方向に揺動できるからである。すなわち、第１接続部材５１の対の接続片の間に第２接続部材５５の対の接続片が入り込むことができ、その入り込んだ状態で第１接続部材５１と第２接続部材５５とが長手方向に直交する方向へ相対移動（揺動）できるからである。一直線上に位置合わせした第１貫通孔５３と第２貫通孔５６にピン５２を挿通すれば、第１の分割梁材２０Ａと第２の分割梁材２０Ｂとの接続は完了する。なお、ピン５２は、垂直材２３に設けられた上方の保持部５４で保持されて下方に落下しないようになっている。この第１接続部材５１及び第２接続部材５５を用いて構成した接続手段Ｊの構造を、揺動位置合わせ式接続構造５０ａ，５０ｂと称する。
【００２６】
上記の実施形態において用いた上部接続手段４０及び下部接続手段５０の構造を逆にして、差込部材４１及び筒状部材４２を用いて構成した差込式接続構造４０ａ，４０ｂを下部接続手段５０として採用し、且つ、第１接続部材５１及び第２接続部材５５を用いて構成した揺動位置合わせ式接続構造５０ａ，５０ｂを上部接続手段４０として採用してもよい。また、差込式接続構造４０ａ，４０ｂを上部接続手段４０及び下部接続手段５０の両方に採用してもよいし、揺動位置合わせ式接続構造５０ａ，５０ｂを上部接続手段４０及び下部接続手段５０の両方に採用してもよい。さらに、上記各実施形態の接続手段Ｊとは別の構成からなる接続手段Ｊを、上部接続手段４０又は下部接続手段５０あるいはその両方に採用してもよい。
【００２７】
梁枠２０の変形例を図８Ａ〜図８Ｃに示す。図８Ａは、梁枠２０を、互いに同一の長さの第１の分割梁材２０Ａと第２の分割梁材２０Ｂで構成した例を示している。図８Ｂは、図８Ａと同様に、互いに同一の長さの第１の分割梁材２０Ａと第２の分割梁材２０Ｂを用いているが、それぞれの分割梁材の長さが図８Ａの態様よりも短くなっている。また、図８Ｃは、それぞれの分割梁材の長さが図８Ｂの態様よりもさらに短くなっている。なお、図８Ａ〜図８Ｃの例において、下部梁部材２２に設けられる固定手段３０は、支柱１１の側面に当接する当接部材を採用しているが、前述の実施形態と同様に、上部梁部材２１と同じ固定手段３０を採用してもよい。また、下部梁部材２２の長手方向両端を上方へ屈曲させて上部梁部材２１に接続することで、下部梁部材２２の固定手段３０を省略した構造も考えられる。さらに、固定手段３０として、上記図３Ａから図５に示す実施形態以外の他の構造を採用することも可能である。
【００２８】
他の実施形態を図９に示す。この実施形態は、上記の実施形態に示した梁枠２０、及びその梁枠２０を用いた構造体１を、仮設ステージに適用したものである。仮設ステージを構成する構造体１は、図９に示すように、複数本の支柱１１，１１を一方向とその一方向に交差する方向（以下、他方向と称する）に沿って所定の間隔で配置している。この例では、一方向に沿って２本の支柱１１を並列させ、他方向に沿って３本の支柱１１を並列させている。また、一方向に沿って隣り合う支柱１１，１１間を梁枠２０で結んでいる。これにより、一方向に並列する２本の支柱１１，１１とそれを結ぶ梁枠２０とからなる組立体が、他方向に沿って３組並列した状態となっている。ここで、一方向に対して求められる支柱１１，１１間の距離（Ｌ１＋Ｌ２＝Ｗ）に合わせて、適切な長さの梁枠２０になるように、対応する第１の分割梁材２０Ａ及び第２の分割梁材２０Ｂを選択する。
【００２９】
また、他方向に並列する梁枠２０，２０同士の間には、ステージの床面を構成する足場板２が固定されている。また、足場板２の周囲には、必要に応じて手摺りとなる水平材や斜材を設けてもよい点は、仮設足場の場合と同様である。さらに、ステージの端縁のいずれかの場所には、図示しない階段等の昇降設備が設けられる。以上の構成により、平面視矩形（長方形）を成すステージを構成できる。なお、足場板２の高さは、梁枠２０の両端部を支柱１１に対して固定する固定手段３０の位置を、上下方向に調整することで変更することができる。また、他方向に並列する支柱１１，１１間を、上記の構成と同じ梁枠２０で結んでもよい。
【００３０】
他方向に並列する支柱１１，１１間の距離Ｌ３についても、適宜変更することが可能である。他方向に沿って梁枠２０を設ける場合、一方向の場合と同様に、他方向への支柱１１，１１間の距離Ｌ３に合致した適切な長さの梁枠２０になるように、対応する第１の分割梁材２０Ａ及び第２の分割梁材２０Ｂを選択することで対応できる。また、仮設足場の場合と同様、足場板２は、距離Ｌ３に合致した適切な長さのものを選択することで対応できる。
【００３１】
ここで、図９では、複数本の支柱１１を並列させる一方向と他方向とが直角に設定されているが、この角度は直角には限定されず、一方向と他方向とが互いに交差する方向であれば、その角度を直角以外（鋭角又は鈍角）としてもよい。この場合、ステージの平面視形状が長方形以外の形状、例えば、台形や平行四辺形等の形状となり得るので、この場合の足場板２の平面視形状は、それに合致したものとすることが求められる。例えば、足場板２の平面視形状を平行四辺形としてもよい。また、支柱１１の一方向への並列本数、及び、他方向への並列本数は、適宜変更できる点は、仮設足場の場合と同様である。
【００３２】
上記の各実施形態では、建設現場等で用いられる仮設足場と仮設ステージを例にこの考案の構造体を説明したが、この考案の構造体は仮設足場や仮設ステージには限定されず、例えば、仮設橋梁や組立式ラック（棚）等、他の用途にも適用できる。
【符号の説明】
【００３３】
１  構造体
１０  梁枠支持部
１１  支柱
２０  梁枠
２０Ａ，２０Ｂ  分割梁材
２１  上部梁部材
２２  下部梁部材
３０  固定手段
４０  上部接続手段
４１  差込部材
４２  筒状部材
５０  下部接続手段
５３  第１貫通孔
５６  第２貫通孔
Ｊ  接続手段
【図１】
0003232151.tif 000003
【図２】
0003232151.tif 000004
【図３】
0003232151.tif 000005
【図４Ａ】
0003232151.tif 000006
【図４Ｂ】
0003232151.tif 000007
【図４Ｃ】
0003232151.tif 000008
【図５】
0003232151.tif 000009
【図６Ａ】
0003232151.tif 000010
【図６Ｂ】
0003232151.tif 000011
【図７Ａ】
0003232151.tif 000012
【図７Ｂ】
0003232151.tif 000013
【図８Ａ】
0003232151.tif 000014
【図８Ｂ】
0003232151.tif 000015
【図８Ｃ】
0003232151.tif 000016
【図９】
0003232151.tif 000017